(57)【要約】【課題】排気ダクト等の設備を配設するために温室の外部に必要な設備配設空間を、温室内の有効栽培面積を削減することなく、従来の温室の設置スペースの範囲内に設ける。【解決手段】２つの面が交わる少なくとも一つの角部において、一方の面２を形成するフィルム２１と他方の面３を形成するフィルム３１とがいずれも両者の交差予定位置Ａよりも所定距離離間した手前の位置までしか設けられておらず、各フィルム２１，３１の端縁２１ａ，３１ａ間に角部用固定張りフィルム４が設けられた構成である。２つのフィルム２１，３１の各端縁２１ａ，３１ａから両者の交差予定位置Ａまでの仮想線Ｂ，Ｃと角部用固定張りフィルム４とにより囲まれた範囲に設備配設空間Ｄを形成可能である。【選択図】  図１
2007111039.tif 000002
【特許請求の範囲】
【請求項１】
２つの面が交わる少なくとも一つの角部において、一方の面を形成するフィルムと他方の面を形成するフィルムとがいずれも両者の交差予定位置よりも所定距離離間した手前の位置までしか設けられておらず、各フィルムの端縁間に角部用固定張りフィルムが設けられ、前記２つのフィルムの各端縁から両者の交差予定位置までの仮想線と前記角部用固定張りフィルムとにより囲まれた範囲に設備配設空間を形成可能であることを特徴とする温室。
【請求項２】
前記角部用固定張りフィルムは、一方の面を形成するフィルムの端縁と他方の面を形成するフィルムの端縁との間に掛け渡されるように、斜めに設けられていることを特徴とする請求項１記載の温室。
【請求項３】
一方の面を形成するフィルムの端縁と他方の面を形成するフィルムの端縁との間において、前記交差予定位置よりも内方に位置する補助支持材が設けられ、前記角部用固定張りフィルムは、一方の面を形成するフィルムの端縁と前記補助支持材との間、及び、他方の面を形成するフィルムの端縁と前記補助支持材との間に設けられていることを特徴とする請求項１記載の温室。
【請求項４】
前記角部用固定張りフィルムを貫通させて、排気ダクトの排気口側を温室外部に設けることができることを特徴とする請求項１〜３のいずれか１に記載の温室。
【請求項５】
前記設備配設空間又はその付近に、一方の面及び他方の面を形成する各フィルムのうち、少なくとも一部を巻き上げ又は巻き戻して換気する換気装置を配設したことを特徴とする請求項１〜４のいずれか１に記載の温室。
【請求項６】
前記換気装置は、前記一方の面を形成するフィルム又は他方の面を形成するフィルムの端縁から所定距離離間した位置であって、一方の面又は他方の面のほぼ延長上に立設された支持支柱と、前記支持支柱に沿って上下動する、巻き取りパイプが接続される駆動部とを備えることを特徴とする請求項５記載の温室。
【発明の詳細な説明】
【技術分野】
【０００１】
本発明は、温室に関する。
【背景技術】
【０００２】
特許文献１に示されているように、温室は、一般に平面視で略長方形に形成され、２つの面が交わる角部は略直角に形成されている。
【特許文献１】特開２００２−１０１７６７号公報（図４〜図６）
【発明の開示】
【発明が解決しようとする課題】
【０００３】
例えば、温室内の暖房装置の排気ダクトは、従来、温室の側面あるいは妻面を通じて温室外に突出させている。しかしながら、温室の側面や妻面を形成するフィルムは、巻き上げ又は巻き戻しされる換気用フィルムを備えて構成されている。このため、排気ダクトを配設するに当たっては、側面や妻面のうち、巻き上げ式となっている換気用フィルムの周囲に設けた固定張りフィルムを貫通させるようにして配設している。従って、いかなる巻き上げ方式を採用したとしても、排気ダクトを配設する分、換気面積が小さくなるという問題があった。また、側面や妻面に排気ダクトが突出するため、温室外の通路、作業場所等の面積が小さくなるという問題もあった。さらに、換気用フィルムを巻き上げるために必要な駆動部（モータなど）や該駆動部の支持支柱等の換気装置を配設する際には、排気ダクトを避けなければならないという問題もあった。また、側面と妻面との２つの面に換気用フィルムを備えている場合、換気装置の支持支柱は、側面と妻面が交わる角部から所定距離離間した位置であって、側面のほぼ延長線上又は妻面のほぼ延長線上に立設される。各支持支柱には、上下動可能な駆動部が配設され、この駆動部に、換気用フィルムを巻き上げるための巻き取りパイプがそれぞれ接続される。従って、この場合には、各駆動部に接続される２つの巻き取りパイプは、交差して配設されることになる。駆動部が手動式のタイプでは、巻き取りパイプをこのように交差させたまま、上下動させる際の順番に注意して使用する場合もあるが、モータを用いた電動式の駆動部では、巻き取りパイプを交差させた状態では、巻き取りパイプ同士が干渉しあって動作に支障がでる。このため、一方の巻き取りパイプは、固定張りフィルムと重なる位置からユニバーサルジョイントを介するなどして外方に逃げて設けることが多い。しかしながら、この場合には、固定張りフィルムと換気用フィルムとの隙間が大きくなり、換気用フィルム閉鎖時の密閉性に劣り、また、風に煽られやすくなるという問題がある。
【０００４】
本発明は上記に鑑みなされたものであり、排気ダクト等の設備を配設するために温室の外部に必要な設備配設空間を、温室内の有効栽培面積を削減することなく、従来の温室の設置スペースの範囲内に設けることができる温室を提供することを課題とする。
【課題を解決するための手段】
【０００５】
上記した課題を解決するため、請求項１記載の本発明では、２つの面が交わる少なくとも一つの角部において、一方の面を形成するフィルムと他方の面を形成するフィルムとがいずれも両者の交差予定位置よりも所定距離離間した手前の位置までしか設けられておらず、各フィルムの端縁間に角部用固定張りフィルムが設けられ、前記２つのフィルムの各端縁から両者の交差予定位置までの仮想線と前記角部用固定張りフィルムとにより囲まれた範囲に設備配設空間を形成可能であることを特徴とする温室を提供する。
請求項２記載の本発明では、前記角部用固定張りフィルムは、一方の面を形成するフィルムの端縁と他方の面を形成するフィルムの端縁との間に掛け渡されるように、斜めに設けられていることを特徴とする請求項１記載の温室を提供する。
請求項３記載の本発明では、一方の面を形成するフィルムの端縁と他方の面を形成するフィルムの端縁との間において、前記交差予定位置よりも内方に位置する補助支持材が設けられ、前記角部用固定張りフィルムは、一方の面を形成するフィルムの端縁と前記補助支持材との間、及び、他方の面を形成するフィルムの端縁と前記補助支持材との間に設けられていることを特徴とする請求項１記載の温室を提供する。
請求項４記載の本発明では、前記角部用固定張りフィルムを貫通させて、排気ダクトの排気口側を温室外部に設けることができることを特徴とする請求項１〜３のいずれか１に記載の温室を提供する。
請求項５記載の本発明では、前記設備配設空間又はその付近に、一方の面及び他方の面を形成する各フィルムのうち、少なくとも一部を巻き上げ又は巻き戻して換気する換気装置を配設したことを特徴とする請求項１〜４のいずれか１に記載の温室を提供する。
請求項６記載の本発明では、前記換気装置は、前記一方の面を形成するフィルム又は他方の面を形成するフィルムの端縁から所定距離離間した位置であって、一方の面又は他方の面のほぼ延長上に立設された支持支柱と、前記支持支柱に沿って上下動する、巻き取りパイプが接続される駆動部とを備えることを特徴とする請求項５記載の温室を提供する。
【発明の効果】
【０００６】
本発明は、２つの面が交わる少なくとも一つの角部において、一方の面を形成するフィルムと他方の面を形成するフィルムとがいずれも両者の交差予定位置よりも所定距離離間した手前の位置までしか設けられておらず、各フィルムの端縁間に角部用固定張りフィルムが設けられた構成である。従って、２つのフィルムの各端縁から両者の交差予定位置までの仮想線と角部用固定張りフィルムとにより囲まれた範囲に設備配設空間を形成可能である。すなわち、この角部用固定張りフィルムは、通常の温室の角部をいわば削り取るような形式で配設されるものであり、該角部用固定張りフィルムを介して排気ダクトの排気口を温室外部に配置することにより、該排気ダクトの排気口は、平面視では、従来の温室の設置スペースの範囲内で温室外に位置することになる。従来の温室においても、角部まで目一杯に作物を栽培することはないため、本発明のように角部を削り取った形状としても、作物の有効栽培面積は変わらない。また、このようにして形成される設備配設空間に排気ダクト等を配置できるため、温室の側面や妻面を構成する換気用フィルムの巻き上げ面積（換気面積）を実質的に増加させることができる。また、換気用フィルムの巻き取りパイプに連結される駆動部（モータなど）や該駆動部を支持する支持支柱を設備配設空間内あるいはその付近に配設できるため、従来のように、支持支柱等が温室の外部において邪魔になることはない。また、このように設備配設空間を利用して種々の設備を配設できる結果、温室外の通路や作業面積等も広く確保できる。
【発明を実施するための最良の形態】
【０００７】
以下、図面に示した実施の形態に基づき本発明をさらに詳細に説明する。図１は、本実施形態に温室１の一部を示す図である。この図に示したように、温室１の側面２を形成する側面フィルム２１と妻面３を形成する妻面フィルム３１とは、互いに交わってはおらず、両者の交差予定位置Ａよりも所定距離離間した手前の位置までしか設けられていない。各フィルム２１，３１の端縁２１ａ，３１ａは、フィルム支持パイプ２１ｂ，３１ｂによりそれぞれ支持されている。
【０００８】
各フィルム２１，３１の端縁２１ａ，３１ａを支持するフィルム支持パイプ２１ｂ，３１ｂ間には、側面２及び妻面３のいずれに対しても斜めとなるように角部用固定張りフィルム４が配設されている。すなわち、本実施形態においては、角部用固定張りフィルム４は、通常の温室の角部をいわば面取りするような形で配設される。この結果、側面フィルム２１の端縁２１ａから交差予定位置Ａまでの仮想線Ｂ、妻面フィルム３１の端縁３１ａから交差予定位置Ａまでの仮想線Ｃ、及び角部用固定張りフィルム４とにより取り囲まれた範囲に、平面視で略三角形状の設備配設空間Ｄが形成される。従来、温室の角部の内側目一杯に作物を栽培することはないが、設備配設空間Ｄを設け、その部分を温室の外側にしても、作物の有効栽培面積が従来と大きく変わらないようにするためには、設備配設空間Ｄは、平面視で略三角形であることが好ましい。そして、側面フィルム２１に沿った上記仮想線Ｂの長さ、妻面フィルム３１に沿った仮想線Ｃの長さは、いずれも、３０ｃｍ〜１５０ｃｍの範囲で設定することが好ましい。
【０００９】
そして、設備配設空間Ｄには、暖房装置の排気ダクト５の排気口５１側を突出させるように配設する。すなわち、角部用固定張りフィルム４にダクト配設孔４１を形成し、このダクト配設孔４１を通じて排気ダクト５を温室１外である設備配設空間Ｄに引き出す。これにより、排気ダクト５は、従来の温室の設置スペースの範囲内において温室外部に位置することになり、温室外部の通路や作業スペース等を狭くさせることがない。
【００１０】
また、側面２には、換気用フィルム２５が配設されており、この換気用フィルム２５は、巻き取りパイプ６１、該巻き取りパイプ６１の端部に接続される駆動部６２及び該駆動部６２を支持する支持支柱６３等を備えてなる換気装置６により巻き上げ又は巻き戻しされる。同様に、妻面３には、換気用フィルム３５が配設されており、この換気用フィルム３５は、巻き取りパイプ７１、駆動部７２及び支持支柱７３等を備えてなる換気装置７によって巻き上げ又は巻き戻しされる。この際、本実施形態によれば、排気ダクト５が温室１の側面２や妻面３から外部に突出するのではなく、上記の角部用固定張りフィルム４を介して設備配設空間Ｄに突出している構成である。従って、各換気用フィルム２５，３５の巻き上げ量を大きく確保でき、換気面積を従来よりも大きくとることができる。また、換気装置６，７の支持支柱６３，７３は、それぞれ、各フィルム２１，３１の端縁２１ａ，３１ａから所定距離離間した位置であって、側面２１又は妻面３１のほぼ延長線上に立設されている。すなわち、支持支柱６３，７３が設備配設空間Ｄの内部又はその付近に設けられており、該支持支柱６３，７３に沿って上下動する駆動部６２，７２も該設備配設空間Ｄ内又はその付近に位置することになる。この結果、駆動部６２，７２等を配設するために必要であった外部スペースが、従来と比較して小さくなる。また、従来のように、駆動部６２，７２に接続される巻き取りパイプ６１，７１同士が干渉し合うこともない。さらに、上記したように、従来、巻き取りパイプ同士の干渉を避けるために、一方の巻き取りパイプを外方に逃がしていたが、そのような手段を用いる必要もないため、換気用フィルム２５，３５の閉鎖時における各フィルムの端縁２１ａ，３１ａとの間の密閉性を高めることができる。なお、駆動部６２，７２は、手動式のものであってもよいし、モータを用いてもよいことはもちろんである。
【００１１】
ここで、上記実施形態では、側面２１と妻面３１とにより形成される角部において、面取りするように角部用固定張りフィルム４を設けている。温室１内の内部空間の減少が少なく、また、構造的にも簡易であることから、角部用固定張りフィルム４はこのように設けることが好ましいが、このほかにも、図３に示したように、側面フィルム２１の端縁２１ａと妻面フィルム３１の端縁３１ａとの間において、交差予定位置Ａよりも内方に、例えば、図１において角部用固定張りフィルム４を挟んで交差予定位置Ａの対称位置に補助支持材４０を設け、上記したフィルム支持パイプ２１ｂと該補助支持材４０との間、及びフィルム支持パイプ３１ｂと該補助支持材４０との間に、それぞれ角部用固定張りフィルム４ａ，４ｂを張る構成とすることもできる。このようにすると、設備配設空間Ｄは、平面視で略四角形に形成されることになるが、２枚の角部固定張りフィルム４ａ，４ｂを通じ、必要に応じて２方向から、温室内から設備配設空間Ｄに適宜の部材を突出させることができる。なお、このように設備配設空間Ｄを平面視で略四角形に形成した場合でも、温室内の有効栽培面積をできるだけ減らさないように、該設備配設空間Ｄを形成する仮想線Ｂ及びＣの長さは、上記実施形態と同様、３０ｃｍ〜１５０ｃｍの範囲で設定することが好ましい。
【００１２】
また、上記実施形態では、設備配設空間Ｄ内又はその付近に、排気ダクト５、換気装置６，７の少なくとも一部の部材を配設しているが、配設可能な設備はこれらに限定されるものではないことはもちろんである。また、角部用固定張りフィルム４及び設備配設空間Ｄは、側面２と妻面３とが交差する一つの角部に設けてもよいし、２つ以上の角部に設けてもよいことはもちろんである。
【図面の簡単な説明】
【００１３】
【図１】図１は、本発明の一の実施形態にかかる温室の要部を示す図である。
【図２】図２は、上記実施形態にかかる設備配設空間の好ましい大きさを説明するための図である。
【図３】図３は、設備配設空間の他の態様を説明するための図である。
【符号の説明】
【００１４】
１  温室
２  側面
２１  側面フィルム
３  妻面
３１  妻面フィルム
４，４ａ，４ｂ  角部用固定張りフィルム
５  排気ダクト
６，７  換気装置
Ａ  交差予定位置
Ｂ，Ｃ  仮想線
Ｄ  設備配設空間
【図１】
2007111039.tif 000003
【図２】
2007111039.tif 000004
【図３】
2007111039.tif 000005